(57)【要約】【課題】  リビング・ダイニングルームにいながら手洗い、花瓶の水の入れ替え等を行うことができ、洗面ボウルを備えていても、洗面ボウルの不使用時には外観を洗面ボウルを備えていない対面式厨房装置とほぼ同様にすることのできる清潔感のある対面式厨房装置を提供すること。【解決手段】  キッチンとリビング・ダイニングルームとの境界に設置される対面式厨房装置において、シンク２をキッチン側に、洗面ボウル３をリビング・ダイニングルーム側に備え、洗面ボウルが、対面式厨房装置の本体１に収納可能になっている。【選択図】 図１
2007029305.tif 000002
【特許請求の範囲】
【請求項１】
キッチンとリビング・ダイニングルームとの境界に設置される対面式厨房装置において、シンクをキッチン側に、洗面ボウルをリビング・ダイニングルーム側に備え、洗面ボウルが、対面式厨房装置の本体に収納可能になっていることを特徴とする対面式厨房装置。
【請求項２】
閉時にリビング・ダイニングルーム側の前面部と同一平面上に配置される蓋体に洗面ボウルが一体化され、蓋体の操作により洗面ボウルが使用可能状態、収納状態に切り替わる請求項１記載の対面式厨房装置。
【請求項３】
蓋体が開き戸式になっている請求項２記載の対面式厨房装置。
【請求項４】
蓋体が引き出し式になっている請求項２記載の対面式厨房装置。
【発明の詳細な説明】
【技術分野】
【０００１】
本願発明は、対面式厨房装置に関するものである。
【背景技術】
【０００２】
住宅の間取りでは、キッチンとリビング・ダイニングルームを隣接させ、続き間とするのが主流となっている。この場合、キッチンに配設される厨房装置は、キッチンとリビング・ダイニングルームの境界に設置される対面式となっている。
【０００３】
対面式厨房装置は、調理、後片付け等のキッチンでの作業を開放感のある空間で行い、会話を交えた和やかな雰囲気で行うのを可能にしている。キッチンでの作業はリビング・ダイニングルームに向かって行うことができ、このため、開放感を味わえ、食器の配膳や後片付けは、対面式厨房装置に備えたカウンターを経由して行うことができる。
【０００４】
一方、厨房装置として、シンクと洗面ボウルを横に並設したものを本出願人は提案している（特許文献１）。特許文献１に記載された厨房装置は、間取りに余裕を持たせることができ、配管工事を簡単にすることができるという利点を有している。
【特許文献１】実願昭５７−１３９４５５号（実開昭５９−４４３４９号）のマイクロフィルム
【発明の開示】
【発明が解決しようとする課題】
【０００５】
厨房装置への洗面ボウルの組み込みは、対面式厨房装置にも要望され始めている。食事前の手洗い、食卓を飾る花の水の入れ替え等をわざわざ洗面所にまで行かなくとも、リビング・ダイニングルームにいながら簡単に済ませることができれば便利である。
【０００６】
しかしながら、先に提案した厨房装置は対面式厨房装置でなく、洗面ボウルがシンクの横に並設されているため、手洗い、花瓶の水の入れ替え等をするには、キッチンまで回り込む必要があり、使い勝手が良好でない。また、特許文献１に記載された厨房装置は、洗面ボウルが露出することの不潔感を解消するために、洗面ボウルの上を覆う蓋体を備えているが、開時の蓋体は、対面式厨房装置では往々にして邪魔であり、不使用時に洗面ボウルを隠し、清潔感を持たせるためには、別の方策が望まれる。
【０００７】
本願発明は、このような事情に鑑みてなされたものであり、リビング・ダイニングルームにいながら手洗い、花瓶の水の入れ替え等を行うことができ、洗面ボウルを備えていても、洗面ボウルの不使用時には外観を洗面ボウルを備えていない対面式厨房装置とほぼ同様にすることのできる清潔感のある対面式厨房装置を提供することを課題としている。
【課題を解決するための手段】
【０００８】
本願発明は、上記の課題を解決するために、第１には、キッチンとリビング・ダイニングルームとの境界に設置される対面式厨房装置において、シンクをキッチン側に、洗面ボウルをリビング・ダイニングルーム側に備え、洗面ボウルが、対面式厨房装置の本体に収納可能になっていることを特徴としている。
【０００９】
本願発明は、第２には、閉時にリビング・ダイニングルーム側の前面部と同一平面上に配置される蓋体に洗面ボウルが一体化され、蓋体の操作により洗面ボウルが使用可能状態、収納状態に切り替わることを特徴としている。
【００１０】
本願発明は、第３には、蓋体が開き戸式になっていることを特徴としている。
【００１１】
本願発明は、第４には、蓋体が引き出し式になっていることを特徴としている。
【発明の効果】
【００１２】
本願の第１の発明によれば、洗面ボウルは、対面式厨房装置のリビング・ダイニングルーム側に配置されているため、食事前の手洗い、花瓶の水の入れ替え等をリビング・ダイニングルームで行うことができ、使い勝手に優れる。また、洗面ボウルは、不使用時には対面式厨房装置の本体に収納することができ、洗面ボウルを設けていながらも、不使用時には、洗面ボウルを設けていない対面式厨房装置とほぼ同様の外観を呈し、清潔感がある。
【００１３】
本願の第２の発明によれば、蓋体の開時に洗面ボウルの使用が可能となり、閉時には洗面ボウルは対面式厨房装置の本体に収納される。洗面ボウルの使用状態、収納状態の切り替えは蓋体の操作により切り替えられる。蓋体の開閉は、本体のリビング・ダイニングルーム側の前面部で行うことができ、操作が容易である。蓋体は、閉時には、本体のリビング・ダイニングルーム側の前面部と同一平面上に配置されるため、閉時の対面式厨房装置の外観は良好となる。
【００１４】
本願の第３および第４の発明によれば、蓋体の開閉が容易であり、洗面ボウルの使用状態、収納状態の切り替えが容易となる。
【発明を実施するための最良の形態】
【００１５】
図１は、本願発明の対面式厨房装置の一実施形態を示した断面図である。
【００１６】
対面式厨房装置の本体１には、キッチン側にシンク２が設けられ、リビング・ダイニングルーム側に洗面ボウル３が設けられている。シンク２、洗面ボウル３のそれぞれにカラン４、５が設けられている。カラン５は、洗面ボウル３の底部より立ち上がった立ち上がり壁部６に取り付けられている。
【００１７】
本体１には、また、シンク２の奥側からリビング・ダイニングルーム側にかけて一段高くなったカウンター７が設けられている。洗面ボウル３は、カウンター７のほぼ直下に位置している。
【００１８】
洗面ボウル３は、下端部において、本体１のリビング・ダイニングルーム側の前面部８に設けられた回動軸９により軸支され、上下方向９０°の回動が可能となっている。下方へ回動させ、洗面ボウル３を本体１に対し直角に配置させると、洗面ボウル３の使用が可能となる。不使用時には、洗面ボウル３を上方に回動させる。本体１には、洗面ボウル３を収納することのできる収納空間が形成されていて、収納空間は、カウンター７の下方に位置している。このため、不使用時には、洗面ボウル３を本体１の内部に収納することができる。
【００１９】
また、洗面ボウル３は、蓋体１０と一体化されている。蓋体１０は、閉時には、本体１のリビング・ダイニングルーム側の前面部８と同一平面上に配置される。蓋体１０は、回動軸９によって上下に回動する開き戸のようになっており、蓋体１０を操作することにより、洗面ボウル３を使用可能状態、収納状態に切り替えることができる。
【００２０】
以上の通りの対面式厨房装置では、洗面ボウル３が、本体１のリビング・ダイニングルーム側に配置されているため、食事前の手洗い、花瓶の水の入れ替え等をリビング・ダイニングルームで行うことができ、使い勝手に優れている。また、洗面ボウル３は、不使用時には本体１の内部に収納することができ、したがって、洗面ボウル３を設けていながらも、不使用時には洗面ボウル３を設けていない対面式厨房装置と同じ外観を呈し、清潔感がある。
【００２１】
さらに、洗面ボウル３は、蓋体１０の開時に使用が可能となり、閉時に本体１の内部に収納される。洗面ボウル３の使用可能状態、収納状態の切り替えは、蓋体１０の操作によって行うことができる。蓋体１０の開閉は、本体１のリビング・ダイニングルーム側の前面部８で行うことができ、操作は容易である。また、蓋体１０は、上下に回動する開き戸式であり、蓋体１０の開閉は容易であって、洗面ボウル３の使用状態、収納状態の切り替えが容易である。しかも、蓋体１０は、閉時には本体１のリビング・ダイニングルーム側の前面部８と同一平面上に配置されるため、閉時の外観は良好である。
【００２２】
図２は、本願発明の対面式厨房装置の別の実施形態を示した断面図である。
【００２３】
本実施形態において、図１の実施形態で示されたものと同じものには同一の符号を付している。
【００２４】
本実施形態では、本体１のリビング・ダイニングルーム側の前面部８が、カウンター７の直下から下方に、洗面ボウル３の縦幅分の長さでかつ洗面ボウル３の厚み分切り欠かれている。切り欠かれた部分にカラン５が配設されている。洗面ボウル３は、給排水管１１の洗面ボウル３に接続された部分を回動の中心として、上下に９０°回動することができるようになっている。また、洗面ボウル３は、開き戸式の蓋体１０と一体化されていて、蓋体１０の上下方向の回動による開閉で使用可能状態、収納状態に切り替えられる。
【００２５】
洗面ボウル３を使用する際には、蓋体１０を操作し、洗面ボウル３を下方に９０°回動させ、本体１に対して直角に配置する。不使用時には、蓋体１０を操作し、洗面ボウル３を上方に９０°回動させる。洗面ボウル３は、本体１のリビング・ダイニングルーム側の切り欠かれた部分に納まり、カラン５は、洗面ボウル３の内部に収納される。蓋体１０は、閉時には本体１のリビング・ダイニングルーム側の前面部８と同一平面上に配置される。
【００２６】
したがって、本実施形態の対面式厨房装置も、図１に示した対面式厨房装置と同様に、洗面ボウル３が、本体１のリビング・ダイニングルーム側に配置されているため、食事前の手洗い、花瓶の水の入れ替え等をリビング・ダイニングルームで行うことができ、使い勝手に優れている。また、洗面ボウル３は、不使用時には本体１に収納することができ、このため、洗面ボウル３を設けていながらも、不使用時には洗面ボウル３を設けていない対面式厨房装置と同じ外観を呈し、清潔感がある。
【００２７】
さらに、洗面ボウル３は、蓋体１０の開時に使用が可能となり、閉時に本体１に収納される。洗面ボウル３の使用可能状態、収納状態の切り替えを蓋体１０の操作によって行うことができる。蓋体１０の開閉は、本体１のリビング・ダイニングルーム側の前面部８で行うことができ、操作は容易である。また、蓋体１０は、上下に回動する開き戸式であり、蓋体１０の開閉は容易であって、洗面ボウル３の使用状態、収納状態の切り替えが容易である。しかも、蓋体１０は、閉時には本体１のリビング・ダイニングルーム側の前面部８と同一平面上に配置されるため、閉時の外観は良好である。
【００２８】
加えて、本実施形態の対面式厨房装置では、給排水管１１の洗面ボウル３に接続された部分を洗面ボウル３の回動の中心としているため、使用可能状態と収納状態とにおける給排水管１１の移動距離を短くすることができ、したがって、水密性を保ちやすく、防水性の面で安全設計が容易となる。
【００２９】
図３は、本願発明の対面式厨房装置の一実施形態を示した断面図である。
【００３０】
本実施形態において、図２の実施形態で示されたものと同じものには同一の符号を付している。
【００３１】
本実施形態では、本体１のリビング・ダイニングルーム側の前面部８が、上端から下方に洗面ボウル３の厚み分切り欠かれている。カウンター７も、本体１のリビング・ダイニングルーム側の前面部８が切り欠かれた分、奥行が短くなっている。カラン５は、洗面ボウル３に配設されている。洗面ボウル３は、給排水管１１の洗面ボウル３に接続された部分を回動の中心として、上下に９０°回動することができるようになっている。また、洗面ボウル３は、開き戸式の蓋体１０と一体化されていて、蓋体１０の上下方向の回動による開閉で使用可能状態、収納状態に切り替えられる。
【００３２】
洗面ボウル３を使用する際には、蓋体１０を操作し、洗面ボウル３を下方に９０°回動させ、本体１に対して直角に配置する。不使用時には、蓋体１０を操作し、洗面ボウル３を上方に９０°回動させる。洗面ボウル３は、本体１のリビング・ダイニングルーム側の切り欠かれた部分に収納される。蓋体１０は、閉時には本体１のリビング・ダイニングルーム側の前面部８と同一平面上に配置される。
【００３３】
したがって、本実施形態の対面式厨房装置も、図２に示した対面式厨房装置と同様に、洗面ボウル３が、本体１のリビング・ダイニングルーム側に配置されているため、食事前の手洗い、花瓶の水の入れ替え等をリビング・ダイニングルームで行うことができ、使い勝手に優れている。また、洗面ボウル３は、不使用時には本体１に収納することができ、このため、洗面ボウル３を設けていながらも、不使用時には洗面ボウル３を設けていない対面式厨房装置と同じ外観を呈し、清潔感がある。
【００３４】
さらに、洗面ボウル３は、蓋体１０の開時に使用が可能となり、閉時には本体１に収納される。洗面ボウル３の使用可能状態、収納状態の切り替えを蓋体１０の操作によって行うことができる。蓋体１０の開閉は、本体１のリビング・ダイニングルーム側の前面部８で行うことができ、操作は容易である。また、蓋体１０は、上下に回動する開き戸式であり、蓋体１０の開閉は容易であって、洗面ボウル３の使用状態、収納状態の切り替えが容易である。しかも、蓋体１０は、閉時には本体１のリビング・ダイニングルーム側の前面部８と同一平面上に配置されるため、閉時の外観は良好である。
【００３５】
さらにまた、給排水管１１の洗面ボウル３に接続された部分を洗面ボウル３の回動の中心としているため、使用可能状態と収納状態とにおける給排水管１１の移動距離を短くすることができ、したがって、水密性を保ちやすく、防水性の面で安全設計が容易となる。
【００３６】
加えて、本実施形態の対面式厨房装置では、カラン５が洗面ボウル３に配設されているため、洗面ボウル３の開口を大きくとる必要がなく、コンパクトな設計が可能となる。
【００３７】
図４は、本願発明の対面式厨房装置の別の実施形態を示した要部平面図である。
【００３８】
本体１のリビング・ダイニングルーム側の前面部８と閉時に同一平面上に配置される横開き戸式の蓋体１０に、１/４円形状とした洗面ボウル３が一体化され、洗面ボウル３の横９０°の回動が可能とされている。カラン５は洗面ボウル３に配設されていて、洗面ボウル３の回動とともに回動するようになっている。洗面ボウル３の回動の中心は、給排水管１１となっている。
【００３９】
洗面ボウル３を使用する際には、蓋体１０を横方向に回動させ、洗面ボウル３およびカラン５を本体１から引き出す。蓋体１０の回動角度は９０°までの任意の角度とすることができ、必要な分だけ洗面ボウル３を引き出すことができる。
【００４０】
不使用時には、蓋体１０を、本体１のリビング・ダイニングルーム側の前面部８と同一平面上に配置されるまで回動させて閉める。洗面ボウル３およびカラン５は、蓋体１０の回動にともなって本体１の内部に収納される。
【００４１】
したがって、本実施形態の対面式厨房装置も、洗面ボウル３が、本体１のリビング・ダイニングルーム側に配置されているため、食事前の手洗い、花瓶の水の入れ替え等をリビング・ダイニングルームで行うことができ、使い勝手に優れている。また、洗面ボウル３は、不使用時には本体１の内部に収納することができ、このため、洗面ボウル３を設けていながらも、不使用時には洗面ボウル３を設けていない従来の対面式厨房装置と同じ外観を呈し、清潔感がある。
【００４２】
さらに、洗面ボウル３は、蓋体１０の開時に使用が可能となり、閉時には本体１の内部に収納される。洗面ボウル３の使用可能状態、収納状態の切り替えを蓋体１０の操作によって行うことができる。蓋体１０の開閉は、本体１のリビング・ダイニングルーム側の前面部８で行うことができ、操作は容易である。また、蓋体１０は、横方向に回動する開き戸式であり、蓋体１０の開閉は容易であって、洗面ボウル３の使用状態、収納状態の切り替えが容易である。しかも、蓋体１０は、閉時には本体１のリビング・ダイニングルーム側の前面部８と同一平面上に配置されるため、閉時の外観は良好である。
【００４３】
さらにまた、給排水管１１を洗面ボウル３の回動の中心としているため、使用可能状態と収納状態とにおける給排水管１１の移動距離を短くすることができ、したがって、水密性を保ちやすく、給排水器具に衝撃がかかりにくく、安全性が高い。
【００４４】
加えて、本実施形態の対面式厨房装置では、洗面ボウル３は、必要な分だけ引き出すことが可能である。
【００４５】
図５は、本願発明の別の実施形態を示した要部斜視図である。
【００４６】
閉時に本体１のリビング・ダイニングルーム側の前面部８と同一平面上に配置される蓋体１０は、前後方向の引き出し、押し入れが可能になっている。洗面ボウル３は蓋体１０と一体化され、蓋体１０の前後動にともなって本体１から引き出され、本体１の内部に収納される。シンク２の奥側からリビング・ダイニングルーム側の前面部８にかけて一段高く形成されたカウンター７のほぼ直下の本体１の内部には、洗面ボウル３を収納する収納空間が形成されている。蓋体１０の閉時には、洗面ボウル３は収納空間に収納される。
【００４７】
カラン５は洗面ボウル３に設けられている。洗面ボウル３の左右の側壁部１２にはレール１３が設けられ、スムーズな前後動が可能になっている。側壁部１２の上端は、蓋体１０側に向かって低くなり、傾斜している。この傾斜は、洗面ボウル３の使用時に作業を行いやすくするための配慮からなされたものである。同様の目的で蓋体１０は、本体１のリビング・ダイニングルーム側の前面部８に形成された開口１４より高さが低くなっている。蓋体１０には、開閉を容易とするために取っ手１５が上端部に設けられている。
【００４８】
本実施形態の対面式厨房装置も、シンク２がキッチン側に配置され、洗面ボウル３が、本体１のリビング・ダイニングルーム側に配置されているため、食事前の手洗い、花瓶の水の入れ替え等をリビング・ダイニングルームで行うことができ、使い勝手に優れている。また、洗面ボウル３は、不使用時には本体１の内部に収納することができ、このため、洗面ボウル３を設けていながらも、不使用時には洗面ボウル３を設けていない対面式厨房装置とほぼ同様な外観を呈し、清潔感がある。
【００４９】
さらに、洗面ボウル３は、蓋体１０の開時に使用が可能となり、閉時には本体１の内部に収納される。洗面ボウル３の使用可能状態、収納状態の切り替えを蓋体１０の操作によって行うことができる。蓋体１０の開閉は、本体１のリビング・ダイニングルーム側の前面部８で行うことができ、操作は容易である。蓋体１０は、引き出し式であり、蓋体１０の開閉は容易である。蓋体１０を前後に移動させることで洗面ボウル３の使用状態、収納状態の切り替えができ、切り替えは容易である。また、蓋体１０は、閉時には本体１のリビング・ダイニングルーム側の前面部８と同一平面上に配置されるため、閉時の外観は良好である。
【００５０】
さらにまた、本実施形態の対面式厨房装置では、図４に示した対面式厨房装置と同様に、洗面ボウル３は、必要な分だけ引き出すことが可能である。加えて、本実施形態の対面式厨房装置には、蓋体１０が引き出し式であるため、前述の開き戸式の蓋体１０と比べ、洗面ボウル３の面積を大きくとることができるという利点がある。
【図面の簡単な説明】
【００５１】
【図１】本願発明の対面式厨房装置の一実施形態を示した断面図である。
【図２】本願発明の対面式厨房装置の別の実施形態を示した断面図である。
【図３】本願発明の対面式厨房装置の別の実施形態を示した断面図である。
【図４】本願発明の対面式厨房装置の別の実施形態を示した要部平面図である。
【図５】本願発明の対面式厨房装置の別の実施形態を示した要部斜視図である。
【符号の説明】
【００５２】
１    本体
２    シンク
３    洗面ボウル
４、５    カラン
６    立ち上がり壁部
７    カウンター
８    前面部
９    回動軸
１０    蓋体
１１    給排水管
１２    側壁部
１３    レール
１４    開口
１５    取っ手
【図１】
2007029305.tif 000003
【図２】
2007029305.tif 000004
【図３】
2007029305.tif 000005
【図４】
2007029305.tif 000006
【図５】
2007029305.tif 000007